(57)【要約】【課題】  電話機の通話音声を、所望のタイミングを逃すことなく記録できるようにする。【解決手段】  車両に搭載される車載機２と、当該車両内に位置する携帯電話機４とを、車載機側通信装置３１及び電話機側通信装置３２により通信可能に接続したハンズフリーシステム１において、所定時間の通話音声に対応する通話音声データを更新しつつ記憶する揮発性メモリ２５と、通話音声データを保存用に記憶する不揮発性メモリ２６と、通話音声の記録開始を指示する記録開始スイッチ２７１とを備え、マイコン２１によって、携帯電話機４による通話が開始された場合に、揮発性メモリ２５に対する通話音声データの記憶を開始させ、記録開始スイッチ２７１が操作された場合に、揮発性メモリ２５に記憶した通話音声データのうち、記録開始スイッチ２７１が操作された時刻よりも前の時刻以降の通話音声データを、不揮発性メモリ２６に転送し記憶させる。【選択図】      図１
2006174196.tif 000002
【特許請求の範囲】
【請求項１】
電話機の通話音声を記録する通話記録システムであって、
第１の所定時間の前記通話音声に対応する通話音声データを更新しつつ記憶する一時記憶手段と、
前記通話音声データを保存用に記憶する保存記憶手段と、
前記通話音声の記録開始を指示する開始指示手段と、
前記電話機による通話が開始された場合に、前記通話音声データの前記一時記憶手段への記憶を開始させ、前記開始指示手段によって記録開始が指示された場合に、前記一時記憶手段に記憶した通話音声データのうち、前記記録開始の指示がなされた時刻よりも第２の所定時間前の時刻以降の前記通話音声データを、前記保存記憶手段に転送し記憶させる制御手段と、
を備えたことを特徴とする通話記録システム。
【請求項２】
請求項１記載の通話記録システムにおいて、
前記一時記憶手段はリングバッファとして構成され、
前記制御手段は、前記開始指示手段によって記録開始が指示された場合に、前記通話音声データの転送と並行して新たな前記通話音声データの前記一時記憶手段への記憶を継続することを特徴とする通話記録システム。
【請求項３】
請求項１または２記載の通話記録システムにおいて、
前記通話音声の記録終了を指示する終了指示手段をさらに備え、
前記制御手段は、前記終了指示手段によって前記通話音声の記録終了が指示された場合に、前記一時記憶手段に記憶した通話音声データのうち、前記記録終了の指示がなされた時刻までの通話音声データを前記保存記憶手段に転送し記憶させることを特徴とする通話記録システム。
【請求項４】
請求項１から３のいずれかに記載の通話記録システムにおいて、
前記制御手段は、前記開始指示手段によって記録開始が指示された後、前記電話機による通話が終了した場合には、前記一時記憶手段に記憶した通話音声データのうち、通話が終了した時刻までの通話音声データを前記保存記憶手段に転送し記憶させることを特徴とする通話記録システム。
【請求項５】
請求項１から４のいずれかに記載の通話記録システムにおいて、
通話音声の再生を指示する再生指示手段と、
前記再生指示手段による指示に応じて、前記保存記憶手段に記憶した通話音声データに基づいて通話音声を再生出力する再生手段と、をさらに備えることを特徴とする通話記録システム。
【請求項６】
請求項１から５のいずれかに記載の通話記録システムにおいて、
車両に設置される車載機と、当該車両内に位置する車載電話機と、前記車載機と前記車載電話機とを通信可能に接続する通信手段と、を含んで構成され、
前記車載機に前記一時記憶手段、前記保存記憶手段及び前記制御手段を設け、
さらに、前記車載機は、前記車載電話機から受話音声を取得して前記車両内で出力するとともに、前記車両の運転者の音声を集音して前記車載電話機に送信するハンズフリー手段を備え、
前記制御手段は、前記ハンズフリー手段によって前記車載電話機から取得された受話音声の通話音声データ、及び、集音された運転者の音声の通話音声データを、前記一時記憶手段に記憶させることを特徴とする通話記録システム。
【請求項７】
請求項６記載の通話記録システムにおいて、
前記通信手段は、前記車載機に設けられる車載機側通信装置と、前記車載電話機に設けられる電話機側通信装置とによって構成され、前記車載機側通信装置と前記電話機側通信装置とが相互に近距離無線通信を実行するものであることを特徴とする通話記録システム。
【請求項８】
電話機の通話音声を記録する通話記録方法であって、
第１の所定時間の前記通話音声に対応する通話音声データを更新しつつ記憶する一時記憶手段と、
前記通話音声データを保存用に記憶する保存記憶手段と、
前記通話音声の記録開始を指示する開始指示手段と、
前記一時記憶手段および前記保存記憶手段に前記通話音声データを記憶させる制御手段と、を備えた通話記録システムを用い、
前記制御手段により、前記電話機による通話が開始された場合に、前記通話音声データの前記一時記憶手段への記憶を開始させ、前記開始指示手段によって記録開始が指示された場合に、前記一時記憶手段に記憶した通話音声データのうち、前記記録開始の指示がなされた時刻よりも第２の所定時間前の時刻以降の前記通話音声データを、前記保存記憶手段に転送し記憶させること、
を特徴とする通話記録方法。
【発明の詳細な説明】
【技術分野】
【０００１】
本発明は、電話機の通話音声を記録する通話記録システム、及び、この通話記録システムを用いた通話記録方法に関する。
【背景技術】
【０００２】
従来、電話機の通話音声を録音する機能を備えた装置が知られている（例えば、特許文献１参照。）。特許文献１に開示された車載用電話装置は、通話中にユーザがキー操作を行って録音開始を指示すると、その後の通話音声を録音する。これにより、メモをとることができない運転中であっても、通話音声を録音してメモがわりに使うことができ、利便性が高いとされている。
【特許文献１】特開平７−２８８８６９号公報
【発明の開示】
【発明が解決しようとする課題】
【０００３】
上記従来の電話装置においては、通話音声を録音する際に、録音開始を指示する操作を行わなければならない。ところが、会話に集中しながら、その会話を録音すべきか否かを適切に判断することは難しく、この判断を会話が始まる前に行うのは極めて困難である。従って、会話を録音しようと思った時点で、すでに録音したい会話が始まっていることが多く、録音したい会話の冒頭を録音できなくなってしまうという問題があった。
【０００４】
上述した事情に鑑み、本発明の目的は、電話機の通話音声を、所望のタイミングを逃すことなく記録できるようにすることにある。
【課題を解決するための手段】
【０００５】
上記課題を解決するため、本発明は、電話機の通話音声を記録する通話記録システムであって、第１の所定時間の前記通話音声に対応する通話音声データを更新しつつ記憶する一時記憶手段と、前記通話音声データを保存用に記憶する保存記憶手段と、前記通話音声の記録開始を指示する開始指示手段と、前記電話機による通話が開始された場合に、前記通話音声データの前記一時記憶手段への記憶を開始させ、前記開始指示手段によって記録開始が指示された場合に、前記一時記憶手段に記憶した通話音声データのうち、前記記録開始の指示がなされた時刻よりも第２の所定時間前の時刻以降の前記通話音声データを、前記保存記憶手段に転送し記憶させる制御手段とを備えたことを特徴とする。
【０００６】
本発明において、前記一時記憶手段はリングバッファとして構成され、前記制御手段は、前記開始指示手段によって記録開始が指示された場合に、前記通話音声データの転送と並行して新たな前記通話音声データの前記一時記憶手段への記憶を継続するようにしてもよい。
【０００７】
また、本発明において、前記通話音声の記録終了を指示する終了指示手段をさらに備え、前記制御手段は、前記終了指示手段によって前記通話音声の記録終了が指示された場合に、前記一時記憶手段に記憶した通話音声データのうち、前記記録終了の指示がなされた時刻までの通話音声データを前記保存記憶手段に転送し記憶させるようにしてもよい。
【０００８】
さらに、本発明において、前記制御手段は、前記開始指示手段によって記録開始が指示された後、前記電話機による通話が終了した場合には、前記一時記憶手段に記憶した通話音声データのうち、通話が終了した時刻までの通話音声データを前記保存記憶手段に転送し記憶させるようにしてもよい。
【０００９】
また、本発明において、通話音声の再生を指示する再生指示手段と、前記再生指示手段による指示に応じて、前記保存記憶手段に記憶した通話音声データに基づいて通話音声を再生出力する再生手段と、をさらに備える構成としてもよい。
【００１０】
さらにまた、本発明において、車両に設置される車載機と、当該車両内に位置する車載電話機と、前記車載機と前記車載電話機とを通信可能に接続する通信手段と、を含んで構成され、前記車載機に前記一時記憶手段、前記保存記憶手段及び前記制御手段を設け、さらに、前記車載機は、前記車載電話機から受話音声を取得して前記車両内で出力するとともに、前記車両の運転者の音声を集音して前記車載電話機に送信するハンズフリー手段を備え、前記制御手段は、前記ハンズフリー手段によって前記車載電話機から取得された受話音声の通話音声データ、及び、集音された運転者の音声の通話音声データを、前記一時記憶手段に記憶させる構成としてもよい。
【００１１】
また、本発明において、前記通信手段は、前記車載機に設けられる車載機側通信装置と、前記車載電話機に設けられる電話機側通信装置とによって構成され、前記車載機側通信装置と前記電話機側通信装置とが相互に近距離無線通信を実行するものとしてもよい。
【００１２】
本発明は、電話機の通話音声を記録する通話記録方法であって、第１の所定時間の前記通話音声に対応する通話音声データを更新しつつ記憶する一時記憶手段と、前記通話音声データを保存用に記憶する保存記憶手段と、前記通話音声の記録開始を指示する開始指示手段と、前記一時記憶手段および前記保存記憶手段に前記通話音声データを記憶させる制御手段とを備えた通話記録システムを用い、前記制御手段により、前記電話機による通話が開始された場合に、前記通話音声データの前記一時記憶手段への記憶を開始させ、前記開始指示手段によって記録開始が指示された場合に、前記一時記憶手段に記憶した通話音声データのうち、前記記録開始の指示がなされた時刻よりも第２の所定時間前の時刻以降の前記通話音声データを、前記保存記憶手段に転送し記憶させることを特徴とする。
【発明の効果】
【００１３】
本発明によれば、通話音声の記録が指示された場合に、その指示がなされた時点から所定時間遡って通話音声データが記録されるので、記録したい会話を、タイミングを逃すことなく確実に記録できる。
【発明を実施するための最良の形態】
【００１４】
以下、図面を参照しつつ本発明の実施の形態について説明する。
図１は、本発明を適用した実施の形態に係るハンズフリーシステムの機能的構成を示すブロック図である。
【００１５】
図１に示すハンズフリーシステム１は、車両に搭載される車載機２と、当該車両の運転者が使用する携帯電話機４とを、近距離無線通信装置である車載機側通信装置３１及び電話機側通信装置３２を用いて接続した構成である。すなわち、車載機２には車載機側通信装置３１が接続され、携帯電話機４には電話機側通信装置３２が接続されており、車載機側通信装置３１と電話機側通信装置３２とは、例えばBluetooth（登録商標）規格に準じた近距離無線通信を実行する。これにより、車載機２と携帯電話機４との間で、通話音声データ及び各種制御情報等が送受信される。
【００１６】
そして、ハンズフリーシステム１は、運転者が携帯電話機４を手に持たずに、携帯電話機４による通話を行えるハンズフリー通話動作を実行する。さらに、ハンズフリーシステム１は、ハンズフリー通話動作中の通話音声を録音する機能を有する。
【００１７】
図１に示すように、車載機２は、車載機２の各部を制御するマイコン２１と、マイク２３及びスピーカ２４を備える音声入出力部２２と、揮発性メモリ２５と、不揮発性メモリ２６と、記録開始スイッチ２７１、記録終了スイッチ２７２及び再生指示スイッチ２７３を備える操作部２７とを備え、これらの各部はバス２０により相互に接続される。
【００１８】
マイコン２１は、車載機２を構成する各部を駆動制御することにより、車載機２の各種機能を実現する。具体的には、マイコン２１は、携帯電話機４による通話開始に伴い、車載機側通信装置３１及び電話機側通信装置３２を介して、携帯電話機４との間で通話音声データ及び制御情報を送受信し、ハンズフリー通話動作を開始する。
【００１９】
このハンズフリー通話動作において、マイコン２１は、携帯電話機４から受話音声の通話音声データを受信して、音声入出力部２２に出力し、スピーカ２４から受話音声を出力させる。また、マイコン２１は、音声入出力部２２から入力される運転者の通話時の通話音声データを、携帯電話機４に送信する。これにより、運転者は、マイク２３とスピーカ２４とを用いて、携帯電話機４による通話を行うことができる。
【００２０】
また、マイコン２１は、ハンズフリー通話動作の実行中、携帯電話機４から送信される受話音声の通話音声データ、及び、音声入出力部２２から入力される運転者の通話音声データを取得して、揮発性メモリ２５及び不揮発性メモリ２６に書き込む。
【００２１】
音声入出力部２２は、運転席の近傍に配設されたマイク２３及びスピーカ２４を有する。音声入出力部２２は、マイコン２１の制御に従って、マイク２３によって運転者の音声を集音し、集音した音声を通話音声データに変換してマイコン２１に出力する。また、音声入出力部２２は、マイコン２１から入力される受話音声の通話音声データをアナログ音声信号に変換して、受話音声をスピーカ２４から出力する。
【００２２】
揮発性メモリ２５は、携帯電話機４の通話音声データを一時的に記憶するための書き換え可能な揮発性の記憶装置であって、例えば、DRAM（Dynamic Random Access Memory）等の半導体記憶素子により構成される。揮発性メモリ２５に記憶されたデータ等は、ハンズフリーシステム１の電源がオフにされた場合に消失する。
【００２３】
また、揮発性メモリ２５はリングバッファとして構成される。リングバッファはFIFO（First In First Out）型メモリの一形態であって、書き込みポインタと読み出しポインタとが設けられる。リングバッファにおける書き込みポインタは、予め定められた記憶領域において、初期状態では先頭アドレスに位置し、データの書き込みとともに末尾側に移動する。そして、上記記憶領域の末尾アドレスまでデータが書き込まれた後、書き込みポインタは再び先頭アドレスに戻り、再び上記記憶領域の先頭アドレスからデータが書き込まれる。この際、既に上記記憶領域の先頭アドレスから書き込まれていたデータは、新しいデータにより上書きされる。また、リングバッファにおける読み出しポインタは、書き込みポインタと同様に循環しながら記憶領域を移動する。すなわち、リングバッファにおいては、記憶領域を循環しながらデータが繰り返し上書きされるので、上記記憶領域分の最新のデータが記憶される。また、リングバッファに書き込まれたデータは、読み出しポインタから順次読み出すことが可能である。さらに、書き込みポインタと読み出しポインタとは各々移動可能であって、記憶領域に対するデータの書き込みとデータの読み出しとを同時に実行できる。さらに、書き込みポインタと読み出しポインタは異なる位置にあってもよい。
【００２４】
本実施形態のハンズフリーシステム１においては、揮発性メモリ２５に通話音声データを書き込む上限の時間として、例えば数十秒〜数分程度の予備記録時間（第１の所定時間）が設定される。揮発性メモリ２５には、予備記録時間分の通話音声データに相当する容量の記憶領域が確保され、この記憶領域が、上述したリングバッファとなっている。従って、揮発性メモリ２５には、予備記録時間分の通話音声データが繰り返し書き込まれる。また、揮発性メモリ２５に書き込み済みの通話音声データは、揮発性メモリ２５に対する通話音声データの書き込み中であっても、順次読み出すことができる。
【００２５】
不揮発性メモリ２６は、携帯電話機４の通話音声データを保存用に記憶するための書き換え可能な不揮発性の記憶装置であって、例えばフラッシュメモリにより構成される。不揮発性メモリ２６に記憶されたデータ等は、ハンズフリーシステム１の電源がオフにされても保持される。
【００２６】
操作部２７は、運転者により操作される記録開始スイッチ２７１、記録終了スイッチ２７２及び再生指示スイッチ２７３の各スイッチを備え、これらスイッチが操作された場合に、操作されたスイッチに対応する操作信号を生成して、マイコン２１に出力する。
【００２７】
携帯電話機４は、PHS（Personal Handyphone System）、PDC（Personal Digital Cellular）、CDMA（Code Division Multiple Access）等の各種通信方式による携帯型の電話機であって、音声による通話が可能なものである。本実施の形態では、携帯電話機４は車載機２が搭載された車両内に位置しており、電話機側通信装置３２及び車載機側通信装置３１を介して、車載機２との間で通話音声データ及び制御情報を送受信する。
携帯電話機４は、公衆回線網等に接続された基地局（図示略）との間で無線通信回線を確立し、この無線通信回線を介して、通話相手先（図示略）との間で音声通話を実行する。この音声通話に際して、携帯電話機４は、通話相手先から受信した受話音声の通話音声データを車載機２へ送信するとともに、車載機２から運転者の通話音声データを受信して、通話相手先へ送信する。また、携帯電話機４は、通話の開始時には、通話開始を示す制御情報を車載機２へ送信し、通話の終了時には通話終了を示す制御情報を車載機２へ送信する。
【００２８】
図２は、本実施の形態に係るハンズフリーシステム１の動作を示すフローチャートである。なお、ハンズフリーシステム１において図２に示す動作を実行する際には、携帯電話機４が音声通話可能な状態であって、車載機２と携帯電話機４とが、車載機側通信装置３１及び電話機側通信装置３２を介して通信可能な状態にあるものとする。
【００２９】
ステップＳ１において、車載機２が有するマイコン２１は、携帯電話機４から送信される制御情報を受信し、携帯電話機４による通話開始を検出すると、ステップＳ２に移行してハンズフリー通話動作を開始する。上述したように、ハンズフリー通話動作とは、車載機２と携帯電話機４との間で通話音声データを送受信することにより、運転者が、スピーカ２４とマイク２３とを用いて通話できるようにする動作である。
【００３０】
続いて、マイコン２１はステップＳ３に移行し、通話音声データを揮発性メモリ２５に書き込む動作を開始して、ステップＳ４に移行する。
【００３１】
ステップＳ４で、マイコン２１は、操作部２７が有する記録開始スイッチ２７１が運転者によって操作されたか否かを判別する。ここで、記録開始スイッチ２７１が操作されていなければ、マイコン２１はステップＳ５に移行して、携帯電話機４による通話が終了したか否かを判別する。そして、通話が終了していない場合、マイコン２１はステップＳ４に戻る。すなわち、ステップＳ４〜Ｓ５において、マイコン２１は、記録開始スイッチ２７１が操作されるか、或いは携帯電話機４による通話が終了するまで待機する。この待機中、マイコン２１は、揮発性メモリ２５に対する通話音声データの書き込みを継続する。揮発性メモリ２５は、上述のようにリングバッファ機能を有するので、揮発性メモリ２５には、予め定められた容量分の最新の通話音声データが保持される。
【００３２】
そして、ステップＳ４で記録開始スイッチ２７１が操作された場合、マイコン２１はステップＳ７の動作に移行する。また、ステップＳ５で携帯電話機４による通話が終了した場合、マイコン２１はステップＳ６に移行して、揮発性メモリ２５に対する通話音声データの書き込みを終了し、後述するステップＳ１５に移行する。
【００３３】
ステップＳ７で、マイコン２１は、揮発性メモリ２５に書き込まれた通話音声データを、揮発性メモリ２５の読み出しポインタから読み出しながら、不揮発性メモリ２６に書き込む動作を開始する。このステップＳ７における動作の実行中も、マイコン２１は、通話音声データを揮発性メモリ２５に書き込む動作を引き続き実行する。
【００３４】
続くステップＳ８で、マイコン２１は、操作部２７が有する記録終了スイッチ２７２が運転者によって操作されたか否かを判別する。ここで、記録終了スイッチ２７２が操作されていなければ、ステップＳ９に移行して、携帯電話機４による通話が終了したか否かを判別し、通話が終了していない場合、ステップＳ８に戻る。
すなわち、ステップＳ８〜Ｓ９において、マイコン２１は、記録終了スイッチ２７２が操作されるか、或いは携帯電話機４による通話が終了するまで待機する。この待機中、マイコン２１は、揮発性メモリ２５に対する通話音声データの書き込み、揮発性メモリ２５からの通話音声データの読み出し及び不揮発性メモリ２６に対する通話音声データの書き込みを継続して実行する。
【００３５】
そして、ステップＳ８で記録終了スイッチ２７２が操作された場合、マイコン２１はステップＳ１０に移行する。
ステップＳ１０で、マイコン２１は、揮発性メモリ２５から通話音声データを読み出して不揮発性メモリ２６に書き込む動作を引き続き実行し、記録終了スイッチ２７２が操作された時点までの通話音声データを不揮発性メモリ２６に書き込んで、その後に、当該動作を終了する。
【００３６】
その後、マイコン２１はステップＳ１１に移行して、携帯電話機４による通話が終了したか否かを判別する。ここで、通話が終了していなければステップＳ４に戻る。また、携帯電話機４による通話が終了した場合、マイコン２１はステップＳ１２に移行して、揮発性メモリ２５に対する通話音声データの書き込みを終了し、後述するステップＳ１５へ移行する。
【００３７】
また、ステップＳ９で、記録終了スイッチ２７２の操作がないまま携帯電話機４による通話が終了した場合、マイコン２１はステップＳ１３に移行して、揮発性メモリ２５に対する通話音声データの書き込みを終了し、ステップＳ１４に移行する。
ステップＳ１４で、マイコン２１は、揮発性メモリ２５に書き込まれている通話音声データを読み出して不揮発性メモリ２６に書き込む動作を引き続き実行し、通話終了時点までの通話音声データを不揮発性メモリ２６に書き込んで、その後に、当該動作を終了し、ステップＳ１５に移行する。
【００３８】
ステップＳ１５において、マイコン２１は、ハンズフリー通話動作を終了する。続いて、マイコン２１はステップＳ１６に移行し、揮発性メモリ２５を初期化する。この初期化の動作においては、揮発性メモリ２５における書き込みポインタ及び読み出しポインタの位置が先頭アドレスに設定され、揮発性メモリ２５内の通話音声データが消去される。このステップＳ１６の動作の後、マイコン２１はステップＳ１に戻る。
【００３９】
図２を参照して説明した動作によって、不揮発性メモリ２６に書き込まれた通話音声データは、再生指示スイッチ２７３の操作により、任意に再生可能である。すなわち、携帯電話機４が通話中でない状態で、再生指示スイッチ２７３が操作されると、マイコン２１が不揮発性メモリ２６に書き込まれた通話音声データを読み出して音声入出力部２２に出力し、音声入出力部２２が通話音声データをアナログ音声信号に変換して、スピーカ２４から通話音声を出力する。
【００４０】
次に、揮発性メモリ２５及び不揮発性メモリ２６に対する音声データの書き込みについて、一例を挙げて詳細に説明する。
【００４１】
図３は、揮発性メモリ２５及び不揮発性メモリ２６における音声データの書き込み状態の遷移を示す図である。図３中、（ａ）は通話開始後のタイミングチャートであり、（ｂ）〜（ｅ）は揮発性メモリ２５及び不揮発性メモリ２６の状態を模式的に示す図である。詳細には、図３（ｂ）は記録開始スイッチ２７１が操作されたときの状態を示し、（ｃ）は記録開始スイッチ２７１が操作された後の状態を示し、（ｄ）は記録終了スイッチ２７２が操作されたときの状態を示し、（ｅ）は記録終了スイッチ２７２が操作された後の状態を示す。
【００４２】
なお、図３（ａ）において、横軸は時間の経過を示す。また、図３（ａ）〜（ｅ）の各図において、符号ｔ1〜ｔ4は時刻を示し、符号Ｔ1及びＴ2は時間を示し、符号ＴSは上述した予備記録時間を示す。また、図３（ｂ）〜（ｅ）の各図において、符号Ｗは揮発性メモリ２５の書き込みポインタであり、符号Ｒは読み出しポインタであり、斜線部分は時刻ｔ2より前の通話音声データを示し、網掛け部分は時刻ｔ2以後の通話音声データを示す。
【００４３】
ここで説明する例においては、図３（ａ）のタイミングチャートに示すように、時刻ｔ1で携帯電話機４による通話が開始され、時刻ｔ2で記録開始スイッチ２７１が操作され、時刻ｔ3で記録終了スイッチ２７２が操作されるものとする。また、時刻ｔ3から予備記録時間ＴSが経過した時刻をｔ4とする。さらに、時刻ｔ1−ｔ2間の時間Ｔ1、及び、時刻ｔ2−ｔ3間の時間Ｔ2は、予備記録時間ＴSよりも長いものとする。
【００４４】
図３（ａ）に示す時刻ｔ１において、携帯電話機４による通話が開始されると、ハンズフリー通話動作が開始され、揮発性メモリ２５に対する通話音声データの書き込みが開始される。上述したように、揮発性メモリ２５は、予備記録時間ＴS分の記憶領域からなるリングバッファ構成を有する。このため、通話開始から予備記録時間ＴSを超える時間が経過した後は、図３（ｂ）に示すように、揮発性メモリ２５には、予備記録時間ＴS分の最新の通話音声データが書き込まれている。
【００４５】
図３（ｂ）に示す状態で、記録開始スイッチ２７１が操作されると、揮発性メモリ２５に書き込まれている通話音声データが読み出しポインタＲから読み出され、不揮発性メモリ２６に書き込まれる。図３（ｂ）に示すように、揮発性メモリ２５における書き込みポインタＷと読み出しポインタＲとは同位置にある。従って、揮発性メモリ２５に書き込まれた通話音声データのうち、最も古い通話音声データが読み出しポインタＲから読み出され、不揮発性メモリ２６に書き込まれる。
また、不揮発性メモリ２６に対する通話音声データの書き込みが開始されてからも、揮発性メモリ２５に対しては、書き込みポインタＷに通話音声データが書き込まれる。
【００４６】
その後、時刻ｔ2から所定の時間Ｔ（Ｔ＜ＴS）が経過した時点では、図３（ｃ）に示すように、揮発性メモリ２５に時刻ｔ2で書き込まれていた通話音声データの一部が、不揮発性メモリ２６に書き込まれている。すなわち、記録開始スイッチ２７１が操作された時刻ｔ2で、揮発性メモリ２５には予備記録時間ＴS分の通話音声データが書き込まれており、この通話音声データは古いものから順に、読み出しポインタの移動とともに読み出され、不揮発性メモリ２６に書き込まれる。従って、不揮発性メモリ２６には、現在の時刻よりも予備記録時間ＴSだけ遡った過去の通話音声データが書き込まれる。換言すれば、不揮発性メモリ２６に対する通話音声データの書き込み動作は、揮発性メモリ２５に対する書き込み動作よりも、予備記録時間ＴSだけ遅れて実行される。
【００４７】
そして、時刻ｔ2から時間Ｔ2（ＴS＜Ｔ2）が経過した時刻ｔ3においては、図３（ｄ）に示すように、時刻ｔ2で揮発性メモリ２５に書き込まれていた通話音声データが全て不揮発性メモリ２６に書き込まれている。その一方で、揮発性メモリ２５の記憶領域は、全て、時刻ｔ2以後の通話音声データにより上書きされている。
【００４８】
この時刻ｔ3で記録終了スイッチ２７２が操作されると、その後、時刻ｔ3で揮発性メモリ２５に書き込まれていた全ての通話音声データが読み出されて不揮発性メモリ２６に書き込まれるまでの間、通話音声データの読み出し及び書き込みが継続される。すなわち、揮発性メモリ２５の読み出しポインタが移動して、時刻ｔ3における位置に再び達するまでの間、揮発性メモリ２５の通話音声データが読み出されて不揮発性メモリ２６に書き込まれる。
【００４９】
そして、図３（ｅ）に示すように、時刻ｔ3から予備記録時間ＴSが経過した時刻ｔ4において、時刻ｔ3で揮発性メモリ２５に書き込まれていた全ての通話音声データが不揮発性メモリ２６に書き込まれる。この時刻ｔ4で、不揮発性メモリ２６に対する通話音声データの書き込みが終了する。
【００５０】
時刻ｔ3で記録終了スイッチ２７２が操作されてから、時刻ｔ4で不揮発性メモリ２６に対する通話音声データの書き込みが終了するまで、予備記録時間ＴSと同じ時間がかかる。これは、上述したように、不揮発性メモリ２６に対する書き込み動作が、揮発性メモリ２５に対する書き込み動作よりも予備記録時間ＴSだけ遅れているためである。
しかしながら、この遅れを持たせることにより、記録開始スイッチ２７１が操作された時点よりも過去の通話音声データを、不揮発性メモリ２６に記録することができる。図３（ｅ）に示すように、時刻ｔ4において、不揮発性メモリ２６には、時刻ｔ2（記録開始スイッチ２７１の操作）よりも過去の予備記録時間ＴS分の通話音声データと、時刻ｔ2から時刻ｔ3（記録終了スイッチ２７２の操作）までの時間Ｔ2分の通話音声データとが、書き込まれる。
【００５１】
なお、図３（ａ）〜（ｅ）を参照して説明した例においては、揮発性メモリ２５に予備記録時間ＴS分の通話音声データが書き込まれ、記録開始スイッチ２７１による指示があった場合に、不揮発性メモリ２６に、揮発性メモリ２５に書き込まれた全て（予備記録時間ＴS分）の通話音声データと、指示後の通話音声データとが書き込まれるものとした。この場合、記録開始スイッチ２７１による指示の前に揮発性メモリ２５に書き込まれていた全ての通話音声データが、不揮発性メモリ２６に書き込まれるが、本発明はこれに限定されるものではない。すなわち、記録開始スイッチ２７１による指示があった時点で揮発性メモリ２５に書き込まれていた予備記録時間ＴS分の通話音声データのうち、一部分の時間（第２の所定時間）の通話音声データのみが不揮発性メモリ２６に書き込まれるようにしてもよい。例えば、指示時点で揮発性メモリ２５に書き込まれた通話音声データのうち、ＴP＜ＴSを満たす時間ＴP分の通話音声データのみを不揮発性メモリ２６に書き込んだ場合、不揮発性メモリ２６には、指示より時間ＴPだけ遡った時点からの通話音声データが書き込まれる。
このように、不揮発性メモリ２６に対して、記録開始スイッチ２７１による指示からどの程度遡った時点から通話音声データを記録するかは任意であり、遡る時間（ここでは時間ＴP）は、不揮発性メモリ２６の容量等をもとに、予備記録時間ＴSを超えない範囲において、予備記録時間ＴSとは別に設定できる。
【００５２】
以上のように、本実施形態におけるハンズフリーシステム１によれば、通話音声データを書き込み可能な揮発性メモリ２５及び不揮発性メモリ２６を備え、揮発性メモリ２５には、携帯電話機４による通話開始後、マイコン２１によって通話音声データが書き込まれ、予め設定された予備記録時間分を上限として、最新の通話音声データが書き込まれた状態が保たれる。ここで、操作部２７が有する記録開始スイッチ２７１が操作されると、マイコン２１によって揮発性メモリ２５に書き込み済みの通話音声データのうち、記録開始スイッチ２７１の操作時刻よりも予備記録時間分だけ前の時刻以降の通話音声データが読み出され、不揮発性メモリ２６に書き込まれる。これにより、不揮発性メモリ２６には、記録開始スイッチ２７１の操作前の通話音声データと、記録開始スイッチ２７１が操作された後の通話音声データとが書き込まれる。つまり、運転者が記録開始スイッチ２７１を操作すると、記録開始スイッチ２７１を操作する前に遡って、通話音声データが不揮発性メモリ２６に記録される。
従って、携帯電話機４による通話内容を記録したい場合に、記録開始スイッチ２７１を操作すれば、操作前の通話内容までも記録することができるので、記録を開始するタイミングを逃すことがなく、記録したい通話の冒頭が記録できない等の問題が発生しない。
【００５３】
また、揮発性メモリ２５はリングバッファとして構成され、予備記録時間分の通話音声データを書き込み可能な記憶領域において、通話音声データを繰り返し書き込むので、予備記録時間を上限として、常に最新の通話音声データを保持できる。これにより、非常に効率よく迅速な処理が行える。
【００５４】
また、揮発性メモリ２５に書き込まれた通話音声データを読み出して不揮発性メモリ２６に書き込む動作の実行中、揮発性メモリ２５に対しては引き続き通話音声データが書き込まれる。そして、記録終了スイッチ２７２が操作されると、操作時点までの通話音声データが揮発性メモリ２５から読み出されて不揮発性メモリ２６に記録されてから、不揮発性メモリ２６に対する書き込みが終了する。また、記録終了スイッチ２７２が操作されないまま携帯電話機４による通話が終了すると、通話終了時までの通話音声データが揮発性メモリ２５から読み出されて不揮発性メモリ２６に書き込まれてから、不揮発性メモリ２６に対する書き込みが終了する。これにより、記録開始スイッチ２７１の操作により通話音声データの記録が開始された後は、記録終了スイッチ２７２が操作されるまで、或いは通話が終了するまでの通話音声データが確実に記録される。
【００５５】
また、ハンズフリーシステム１においては、車載機２と携帯電話機４とが、車載機側通信装置３１及び電話機側通信装置３２を介して、通話音声データ及び制御情報を送受信可能に接続されており、携帯電話機４による通話中、ハンズフリー通話動作を実行する。このため、車両の運転者は、運転中に、携帯電話機４を手に持たずとも携帯電話機４による通話を行える上、通話内容を記録したい場合には、記録開始スイッチ２７１を操作するだけで、タイミングを逃すことなく確実に通話内容を記録できる。
【００５６】
そして、再生指示スイッチ２７３の操作によって、不揮発性メモリ２６に書き込まれた通話音声データに基づいて、通話音声がスピーカ２４から再生出力されるので、記録した通話内容をいつでも容易に確認できる。
【００５７】
さらに、車載機２と携帯電話機４とが、車載機側通信装置３１及び電話機側通信装置３２によって無線接続されるので、車載機２及び携帯電話機４の設置場所が制限されず、取り扱いが非常に楽である上、本発明を広く様々な車載機及び携帯電話機に適用可能である。
【００５８】
また、一般に、DRAM等の揮発性の記憶装置は、情報の書き込み及び消去に要する時間が短く、データの記録及び消去を頻繁に行う場合に有利である。一方、フラッシュメモリ等の不揮発性の記憶装置は、電源が供給されなくても記憶内容を保持できるという利点がある。そこで、本実施形態の構成では、通話音声データを頻繁に消去または上書きする可能性が高い部分にはDRAM等の揮発性メモリ２５を用い、通話音声データを確実に保持しておく部分にはフラッシュメモリ等の不揮発性メモリ２６を用いている。このように、揮発性メモリ２５と不揮発性メモリ２６の特徴を利用して、通話音声データの書き込み動作に最適な記録媒体を利用することで、動作の安定性及び動作速度の向上、ハンズフリーシステム１の長寿命化等を図ることができる。
【００５９】
なお、上述した実施形態は本発明の一実施態様を示すものであり、本発明の範囲内で任意に変形及び応用可能であることは勿論である。例えば、上述した実施の形態では、揮発性メモリ２５に書き込む通話音声データの上限が、予備記録時間により時間的に制限されるものとしたが、容量によって制限されるようにしてもよい。すなわち、揮発性メモリ２５に書き込み可能な通話音声データの制限容量が予め設定され、この制限容量を上限として揮発性メモリ２５に通話音声データを書き込むようにしてもよい。これは、揮発性メモリ２５に書き込まれる通話音声データの上限を時間により表現するか、容量によって表現するかの違いであって、実質的には相違しない。また、車載機２の操作部２７等における入力操作によって、予備記録時間に関する設定を行えるようにしてもよい。
【００６０】
また、上述した予備記録時間は任意であり、通話音声データのサンプリング周波数、ビット幅、符号化方式や、揮発性メモリ２５の記憶容量等に基づいて決定すればよい。例えば、予備記録時間が数秒〜数十秒程度の場合、記録したい会話の冒頭が記録できないといった問題を十分に回避することができる上、揮発性メモリ２５の記憶容量が少なくて済み、低コストで実現できるという利点がある。また、予備記録時間が数分程度またはそれ以上の場合、記録したい会話が始まってから比較的長時間、記録開始スイッチ２７１を操作しなくても、その会話を冒頭から記録できるという利点がある。従って、例えば車両の運転者が、運転中に、携帯電話機４による通話内容を記録したいと考えた場合、信号待ち等で停車するまで記録開始スイッチ２７１を操作しなくてもよい。この場合、走行中に車載機２を操作する必要がないので、交通安全の観点からみて極めて有用である。
【００６１】
また、上記実施形態では、揮発性メモリ２５及び不揮発性メモリ２６と、通話音声データを揮発性メモリ２５及び不揮発性メモリ２６に書き込むマイコン２１とを車載機２が備える構成としたが、本発明はこれに限定されず、携帯電話機４側に、通話音声データを書き込む制御装置と、揮発性メモリと、不揮発性メモリとを備える構成としてもよい。この場合、ハンズフリー通話動作を行わずに、通話音声の記録のみを行うことが可能であり、運転中に限らず、簡単な操作により通話音声を所望のタイミングで記録できるという利点が得られる。
【００６２】
さらに、上記実施形態では、車載機側通信装置３１が車載機２に接続され、電話機側通信装置３２が携帯電話機４に接続されるものとして説明したが、例えば、車載機側通信装置３１が車載機２に内蔵され、電話機側通信装置３２が携帯電話機４に内蔵される構成としてもよい。また、車載機側通信装置３１と電話機側通信装置３２とを有線接続する構成としてもよく、この場合、通信ケーブル等を接続する作業を行うだけで、容易に車載機２と携帯電話機４とを通信可能に接続することができ、様々な携帯電話機４に対応可能な汎用性を持たせることができる上、周辺環境の影響を受けずに安定した通信が行えるという利点がある。
その他、ハンズフリーシステム１の具体的な細部構成等については、本発明の趣旨を逸脱しない範囲において任意に変更可能である。
【図面の簡単な説明】
【００６３】
【図１】本発明を適用した実施の形態にかかるハンズフリーシステムの概略的構成を示すブロック図である。
【図２】ハンズフリーシステムの動作を示すフローチャートである。
【図３】揮発性メモリ及び不揮発性メモリにおける音声データの書き込み状態の遷移を示す図であり、（ａ）は通話開始後のタイミングチャートであり、（ｂ）〜（ｅ）は揮発性メモリ及び不揮発性メモリの状態を模式的に示す図である。
【符号の説明】
【００６４】
１  ハンズフリーシステム（通話記録システム）
２  車載機
４  携帯電話機（車載電話機）
２０  バス
２１  マイコン（制御手段、再生手段、ハンズフリー手段）
２２  音声入出力部（再生手段、ハンズフリー手段）
２３  マイク（ハンズフリー手段）
２４  スピーカ（再生手段、ハンズフリー手段）
２５  揮発性メモリ（一時記憶手段）
２６  不揮発性メモリ（保存記憶手段）
２７  操作部
３１  車載機側通信装置（通信手段）
３２  電話機側通信装置（通信手段）
２７１  記録開始スイッチ（開始指示手段）
２７２  記録終了スイッチ（終了指示手段）
２７３  再生指示スイッチ（再生指示手段）
【図１】
2006174196.tif 000003
【図２】
2006174196.tif 000004
【図３】
2006174196.tif 000005